(57)【要約】【課題】脚を立ててテーブルとして使用する際は多人数が腰掛けて使用することを可能にし、一方、脚を折り畳んだ際は薄型にして多くのテーブルを狭いスペースに重ねて収納することを可能にし、その他、テーブルの折り畳み作業の際に、怪我することの無いようにＰＬ法に基づく安全基準をクリヤした薄型ワイド折り畳みテーブルを提供することを目的とする。【解決手段】天板の裏面において、この天板の対向する夫々の長辺に沿って一対のケタを固設するとともに、これらのケタの両端部に夫々継ぎ手を設け、これらの継ぎ手に四本の脚を夫々折り畳み自在或いは起立自在に連設した折り畳みテーブルにおいて、前記継ぎ手を前記ケタの内側に固設することを特徴とする折り畳みテーブルである。【選択図】図２
0003166037.tif 000002
【実用新案登録請求の範囲】
【請求項１】
天板の裏面において、この天板の対向する夫々の長辺に沿って一対のケタを固設するとともに、
これらのケタの両端部に夫々継ぎ手を設け、
これらの継ぎ手に四本の脚を夫々折り畳み自在或いは起立自在に連設した折り畳みテーブルにおいて、
前記継ぎ手を前記ケタの内側に固設することを特徴とする折り畳みテーブル。
【請求項２】
前記継ぎ手は、上板、外側板、内側板及び端板から構成される底無しの箱状体であって、
前記外側板、前記内側板及び前記端板を側方から囲むように内外のカムがコ字状に連設され、
かつ、前記外側板及び前記内側板の夫々を貫通するようにスライドピン及びバネ軸が設けられるとともに、
このバネ軸の両端近傍には夫々巻バネが設けられ、
これらの巻バネによって前記内外のカムが前記スライドピンに夫々付勢されることを特徴とする請求項１記載の折り畳みテーブル。
【請求項３】
前記継ぎ手には、カバーを設けることを特徴とする請求項１記載の折り畳みテーブル。
【請求項４】
前記カバーは、コ字状の下枠、側枠及び舌片から構成されるとともに、
前記継ぎ手を覆うように設けられ、
かつ、前記舌片は前記コ字状の下枠の間で回動自在に挟着されることを特徴とする請求項１記載の折り畳みテーブル。
【考案の詳細な説明】
【技術分野】
【０００１】
この考案は、脚部を折り畳み又は起立可能とし、かつ、天板裏側の脚間を拡大して多人数掛けを可能にした折り畳みテーブルに関する。詳しくは、脚を折り畳む時に、バネの付勢力を利用して突然開脚することの無いようにし、また、天板裏側両端部における斜めのステーを無くして余裕のある腰掛けを可能にするとともに、折り畳んだ後は天板と脚部との重なり厚みを薄型化し、一方、折り畳み作業時に指を挟むことの無いように安全を重視した薄型の折り畳みテーブルに関する。
【背景技術】
【０００２】
従来、事務机、座卓や経机等は通常は天板裏側に固定の脚が設けられており、立ち机又は座り机として専用されている。しかしながら、このような固定脚を有する机は使用時には座りが安定しているが、机を使用しないときには脚の長さの分広い収納スペースを必要とする。収納スペースを確保できない団地等では、このような机のために、他の物を収納することができなかったり、居住空間が狭められたりする。或いは、机の運搬通路が狭い場合、机が嵩張るため脚を壁等にぶつけて脚や壁を傷付けることもある。
【０００３】
そこで、テーブルの脚を折る構造にして畳み（例えば、特許文献１）、或いは脚を天板にネジ締め構造で螺着し、かつ、螺着をゆるめて脚を外したりする。従来の折り畳みテーブルの例を図１３に示し、その全体構造を図（ａ）に示す。折り畳みテーブルＴは、長方形の化粧板からなる天板１を有し、天板１の裏側へ折り畳み、かつ、立脚可能に四本の脚５を設ける。天板１の裏面において、長辺に沿って前後に棒状のケタ２、２が、天板１に一体的に固着される。そして、これらのケタ２と脚４との間に斜めにステー３をリンク機構として架設することによって、天板１の裏側に脚５が折り畳み可能となる。ステー３は、ケタ２と脚５間の突っ支い棒としての機能を有し、ケタ２と脚４の角度を直角に保つ。ステー３は天板１の裏側両端において、脚５と天板１との間に斜めに設けられるので、立脚してテーブルとして使用する際、例えば天板の長辺１８００ｍｍのテーブルの場合、３人が腰掛けると左右のステー３が邪魔になって両端の人が足を入れ難い。一方、折り畳んだ時は、脚５がケタ２の下側に重なるので折り畳んだ全体の厚みが大きくなり、多くのテーブルを重ねて収納する際に多くの広いスペースを必要とする。また、脚５を折り畳む作業の際に突然の開脚を防止するために通常ロック機構を設けるが、ロック機能が完璧ではないために図（ｂ）に示すように突然脚５が矢印Ｚ方向へ開くことがある。そのために、一人作業をやり難く、或いは突然開脚した拍子に天板１を含む全重量を手で支えきれずに怪我する恐れがある。その他、脚を折り畳む作業の際に、ステー３と脚５又はケタ２の間に指を挟む恐れがあり危険である。近年では、製造者はＰＬ法に基づく安全基準を満足する折り畳みテーブルを製造し、かつ、使用者に安全に使ってもらえるように留意している。その他に、折り畳みテーブルの軽量化のために、脚部材としてアルミニウム材を使用することがあるが、鋼材との溶接等の関係で設計が複雑である。
【先行技術文献】
【特許文献】
【０００４】
【特許文献１】実開昭６１−１３９６２９号公報
【考案の概要】
【考案が解決しようとする課題】
【０００５】
以上の通りであって、特許文献１に代表されるように、従来の折り畳みテーブルには、まとめると次のような問題点がある。
【０００６】
即ち、従来の折り畳みテーブルの最大の問題点は、脚を立ててテーブルとして使用する際、天板の裏側の長辺両端において、天板と脚の間に突っ支い棒としての機能を有するステーが斜めに架設されているので、邪魔になって窮屈な腰掛けになる。一方、折り畳んだ時、脚とケタとが重なるので全体天板を含む全体が厚くなり、多くのテーブルを重ねて収納する際に広いスペースを必要とする。
【０００７】
次に、脚を折り畳む作業の際に、脚が突然開くので作業がやり難く、或いは脚が開いて机の全重量をとっさに支える際に手首を捻る等怪我する恐れがある。その他、脚を折り畳む作業の際に、バネを使用した継ぎ手部に指が挟さまれ、或いはステーと脚又はケタの間に指を挟む恐れがあり危険である。以上のように、製造者がＰＬ法に基づく安全基準を順守する配慮に欠け、使用者の安全を十分守ることができなかった。その他に、折り畳みテーブルの軽量化のために、部品としてアルミニウム材を使用することがあるが、他方の鉄・鋼材との溶接等の関係で構造が複雑になる。
【０００８】
そこで、本考案の折り畳みテーブルは、このような従来の抱える問題点を解決するためになされたもので、脚を立ててテーブルとして使用する際は、余裕のある腰掛けを可能にし、一方、脚を折り畳んだ際は薄型にして多くのテーブルを狭いスペースに重ねて収納することを可能にし、その他、テーブルの折り畳み作業の際に、怪我することの無いようにＰＬ法に基づく安全基準をクリヤした薄型ワイド折り畳みテーブルを提供することを目的としている。
【課題を解決するための手段】
【０００９】
そこで、本考案者等は、脚を折り畳む際に脚を天板裏側のステーの内側に装着することに着目し、この着想に基づき折り畳みテーブルを試作したところ全体の厚みが薄型化されるという知見を得た。本考案の薄型ワイド折り畳みテーブルはかかる知見を基に具現化したもので、請求項１の考案は、天板の裏面において、この天板の対向する夫々の長辺に沿って一対のケタを固設するとともに、これらのケタの両端部に夫々継ぎ手を設け、これらの継ぎ手に四本の脚を夫々折り畳み自在或いは起立自在に連設した折り畳みテーブルにおいて、前記継ぎ手を前記ケタの内側に固設することを特徴とする折り畳みテーブルである。また、請求項２の考案は、請求項１の考案の上記特徴に加えて、前記継ぎ手は、上板、外側板、内側板及び端板から構成される底無しの箱状体であって、前記外側板、前記内側板及び前記端板を側方から囲むように内外のカムがコ字状に連設され、かつ、前記外側板及び前記内側板の夫々を貫通するようにスライドピン及びバネ軸が設けられるとともに、このバネ軸の両端近傍には夫々巻バネが設けられ、これらの巻バネによって前記内外のカムが前記スライドピンに夫々付勢されることを特徴とする薄型ワイド折り畳みテーブルである。また、請求項３の考案は、請求項１の考案の上記特徴に加えて、前記継ぎ手には、カバーを設けることを特徴とする薄型ワイド折り畳みテーブルである。そして、請求項４の考案は、請求項１の考案の上記特徴に加えて、前記カバーは、コ字状の下枠、側枠及び舌片から構成されるとともに、前記継ぎ手を覆うように設けられ、かつ、前記舌片は前記コ字状の下枠の間で回動自在に挟着されることを特徴とする薄型ワイド折り畳みテーブルである。
【考案の効果】
【００１０】
立脚してテーブルとして使用する際に、天板裏側の両端部において斜めに架設したステーを無くしたので両端の人が腰掛ける際に足の邪魔になるものが無くなり多人数掛けが可能となった。一方、脚を折り畳んで収納する際に、脚がケタの内側に装着されるので折り畳んだ全体の厚みが薄くなり、多くのテーブルを重ねて収納する際に広いスペースを必要としない。また、脚の折り畳み作業の際に、巻バネの付勢力によって常に脚を畳む方向に作用するように継ぎ手の構造を工夫したので、突然脚が開くようなことが無く、そのために、一人作業がやり易く、或いは突然開脚した拍子に天板を含む全重量を手で支えきれずに怪我するようなことがない。その他、継ぎ手にカバーを覆設したので、脚を折り畳に又は立てる作業の際に、脚と継ぎ手の間に指を挟む恐れが無い。本考案の折り畳みテーブルは、所謂ＰＬ法に基づく安全基準をクリヤするので、使用者に怪我をさせない等の効果を奏するものである。
【図面の簡単な説明】
【００１１】
【図１】本考案に係る折り畳みテーブルの全体斜視図である。
【図２】同上、天板を外したフレーム体の全体斜視図である。
【図３】同上、左手前隅の継ぎ手を外側から見た斜視図である。
【図４】同上、内側から見た斜視図である。
【図５】同上、上から見た斜視図である。
【図６】同上、天板を外したフレーム体を裏側から見た全体斜視図である。
【図７】同上、左手前隅の継ぎ手を裏側から見た斜視図である。
【図８】同上、継ぎ手カム体の斜視図である。
【図９】同上、左手前隅の継ぎ手を裏側から見た斜視図であり、脚を折り畳む作動の説明図である。
【図１０】同上、脚を天板の裏側に折り畳んだ状態で、裏側から見た全体斜視図である。
【図１１】同上、脚を立てる時のカバーの作動の説明図である。
【図１２】同上、継ぎ手カム体の作動説明図である。
【図１３】従来例に係る折り畳みテーブルの全体斜視図及び折り畳み作業の状態を示す説明図である。
【考案を実施するための形態】
【００１２】
本考案の実施の形態を、添付図面に示した本考案の実施例に基づいて以下に具体的に説明する。
【実施例１】
【００１３】
先ず、本考案の実施例について、図１〜図１１を参照しながら説明する。図１は、本考案に係る折り畳みテーブルの全体斜視図である。図２は、天板を外したフレーム体の全体斜視図である。図３は、左手前隅の継ぎ手を外側から見た斜視図である。図４は、同上、内側から見た斜視図である。図５は、同上、上から見た斜視図である。図６は、同上、天板を外したフレーム体を裏側から見た全体斜視図である。図７は、同上、左手前隅の継ぎ手を裏側から見た斜視図である。図８は、同上、継ぎ手カム体の斜視図である。図９は、左手前隅の継ぎ手を裏側から見た斜視図であり、脚を折り畳む作動の説明図である。図１０は、脚を天板の裏側に折り畳んだ状態で、裏側から見た全体斜視図である。図１１は、脚を立てる時のカバーの作動の説明図である。図１２は、継ぎ手カム体の作動説明図である。
【００１４】
本実施例の折り畳みテーブルの天板は細長く、例えば天板１は長辺で１５００ｍｍ又は１８００ｍｍであり、短辺で４５０ｍｍ又は６００ｍｍの組合せが可能であり、高さは６７０ｍｍである。天板１の裏側四隅にカバー７を覆った継ぎ手６（図示無し）を設け、これらを介して折り畳み自在に夫々の脚５を起立した状態を図１に示し、折り畳みテーブルＴは、長方形の化粧板からなる天板１、その裏側に物を載せるための棚４を備える。以下、折り畳みテーブルＴは天板１の長辺に沿って左右方向と称し、短辺に沿って前後方向と称し、脚と天板の方向を上下方向と称し、他の実施例についても同様である。
【００１５】
天板を取り外したフレーム構造を図２に示す。ケタ２、２が長手左右方向に延び、下方でこれらと平行に棚４が設けられる。前後の脚５、５の間には梁５１が連結され、脚部を補強する。これらのケタ２、２と棚４によって略矩形状に構成され、この四隅において脚５が折り畳み自在に設けられる。そして、四隅において脚５の上端部に折り畳み可能に機能する継ぎ手６を設ける。そして、前後の継ぎ手６、６を連結するようにレバー腕６６を設ける。さらに、例えば左手前隅にこの継ぎ手６を覆うようにカバー７を示し、他の隅部に於いても図示しないが同様にカバー７が設けられる。詳細については後述する。
【００１６】
図２の左手前隅部の継ぎ手６において、これを覆うカバー７を取外し、ケタ２の外側から見た状態を図３に示す。天板の裏側において、この天板１の対向する長辺に沿って一対のケタ２、２が設けられ、さらにこれらの両端に継ぎ手６が固設され、この下方に脚５が直角に下がる。継ぎ手６の外郭は、上板６１１、外側板６１２、内側板６１４（図示無し）及び端板６１３から構成される底無しの箱体６１である。これらの外側板６１２、内側板６１４及び端板６１３を側方から囲むようにコ字状のカム体６２が設けられる。また、箱体６１には外側板６１２及び内側板６１４にスライドピン６４及びバネ軸６３が夫々貫設されるとともに、このバネ軸６３の両側に夫々巻バネ６５が貫設される。そして、カム体６２はバネ軸６３を支点として回動自在に設けられている。また、外側板６１２には、弓状に穿孔した長い溝６１６にスライドピン６４の一方端が収まり、一方、内側板６１４にも同様に、弓状の長い溝６１６にスライドピン６４の他方端が収まっている（図示無し）。
【００１７】
一方、継ぎ手６をケタ２の内側から見た状態を図４（ａ）に示す。箱体６１を側方から囲むカム体６２は、両側に外カム６２１と内カム６２３が柄６２２によってコ字状に連設され、カム体６２はバネ軸６３を支点として回動自在に設けられる。そして、箱体６１の内側板６１４の右寄りにおいて、カム体６２の内カム６２３がバネ軸６３を支点として回動自在に設けられる。カム体６２がバネ軸６３を支点として回動自在に設けられるので、バネ軸６３に貫設される巻バネ６５の付勢力によって内カム６２３及び外カム６２１（図３参照）がスライドピン６４に付勢される。ここで、バネ軸６３の両側には巻バネ６５が貫設され、この単体を同図（ｂ）に示す。巻バネ６５の中心の輪を二点鎖線で示すバネ軸６３が貫通するとともに、一方に端部６５１が延び、他方に端部６５２が直角に折れる。他方の端部６５２の直角に曲がる部位が同図（ａ）に示され、端部６５２は下方の矢印Ｕ方向に内カム６２３を付勢している。一方の端部６５１は箱体６１の端板６１３を突っ張っている。
【００１８】
次に、継ぎ手６を上方から見た状態を図５に示す。箱体６１の右側に外カム６２１、左側に内カム６２３示され、これらを柄６２２が一体に連結する。手前側に、箱体６１及び外カム６２１と内カム６２３を貫通するようにバネ軸６３が設けられ、このバネ軸６３の左右に図示のように巻バネ６５、６５が貫設される。また、スライドピン６５は箱体６１を貫通し、左右の巻バネ６５、６５の付勢力によって、外カム６２１と内カム６２３は夫々スライドピン６４に押し付けられる。また、内カム６２３の端部にレバー腕６６が左方の内カム６２３（図示無し）に向かって延びる。
【００１９】
天板１を取り外し、フレーム構造を裏側から見た状態を図６に示す。ケタ２、２が長手左右方向に延び、これらと平行に中央に棚４が位置し、左右の梁５１、５１に架設される。
【００２０】
図６の四隅において脚５の下に継ぎ手６が示され、裏側の矢印Ａ方向から見た継ぎ手６の構造を図７に示す。箱体６１の右側に外カム６２１、左側に内カム６２３を示す。奥側に、箱体６１及び外カム６２１と内カム６２３を貫通するようにバネ軸６３が設けられ、このバネ軸６３の左右に図示のように巻バネ６５、６５が貫設される。また、スライドピン６４が箱体６１を貫通し、右側の外カム６２１の凹み６２４及び左側の内カム６２３の凹み６２５の夫々の位置にスライドピン６５の両端部が収まる。そして、左右の外側板６１２、内側板６１４を貫通して軸６１５が設けられ、この軸６１５に脚５の基部５２が固着される。従って、この軸６１５を支点として脚５が手前側へ回動自在であり、本図では脚５が直立した状態にある。この状態で左右の巻バネ６５、６５の付勢力によって外カム６２１の凹み６２４及び内カム６２３の凹み６２５がスライドピン６４に押し付けられる。また、内カム６２３の端部にレバー腕６６が左方の内カム６２３（図示無し）に向かって延びる。
【００２１】
以上の通り継ぎ手６の構成を示したが、さらに異なる角度から見た継ぎ手６の構造を図８に示す。同図（ａ）では、外カム６２１側からみたもので箱体６１の左側に外カム６２１が見える。左側の外側板６１２に弓状の長い溝６１６が、同様に右側の内側板６１４の対称位置に弓状の長い溝６１６が穿孔される。また、箱体６１の内側では左右の外側板６１２、内側板６１４を跨ぐように軸６１５が支持され、この軸６１５に脚５の基部５２が手前側の矢印Ｙ方向に回動可能に固着され、この図では脚５が下方に直立した状態にある。なお、脚５は、正確には軸６１５側の基部５２とこの下側に脚５を連結した構造である。脚５は軽量化のため空洞のパイプ材を使用し、基部５２は一枚板を曲げ加工して箱形の空洞とする。一枚板から曲げ加工が施され、そのため歪又は捩れの無い寸法精度の高い箱形状に基部５２が得られ、そして、太い基部５２の内周にガタを無くして脚５を圧入したので、二重構造にして高強度の脚部が完成した。基部５２及び脚５が鉄、鋼材の場合はその継ぎ目を溶接により連結する。更に軽量化を図るために脚５の材料としてアルミニウム材を使用した場合は、継ぎ目をリベットによってカシメる。同図（ｂ）では、内カム６２３側から見たもので、箱体６１の左側に内カム６２３が設けられる。
【００２２】
以上のように継ぎ手が構成され、以下に各部材の作用について、先ず、継ぎ手について説明する。図９に天板を下にした状態における継ぎ手のカム体の作動を示す。同図（ａ）では、脚５が直立した状態の継ぎ手６を内側から見た状態を斜視図として示し、継ぎ手６が下側でこれに対して脚５が起立し、この時、スライドピン６４の一方端が内カム６２３の凹み６２５に噛合っている。同時に、スライドピン６４の他方端が反対側の外カム６２１の凹み６２４に噛合っている（図７図参照）。この時、脚５は外側板６１２と内側板６１４に貫設された軸６１５を支点として回動自在に支持されている（図７参照）。このような継ぎ手６の構成によって、スライドピン６４は内外の凹み６２５、６２４に収まった儘溝から外れるようなことが無いので脚５は継ぎ手６に対して直立状態を保ち、立脚してテーブルとして使用する際に脚５の立ち位置が安定する。
【００２３】
一方、この状態では、巻バネ６５が軸６３の両側に貫設されており、巻バネ６５の一方の端部６５１は端板６１３に押し付けられ、他方の端部６５１は内カム６２３を矢印Ｕ方向に押さえ付ける（図４参照）。即ち、巻バネの付勢力によってレバー腕６６を矢印Ｕ方向に押し上げるように作用する。このため、スライドピン６４は内カム６２３の凹み６２５に収まった儘溝から外れるようなことが無い。同じくスライドピン６４は外カム６２１の凹み６２４に収まった儘溝から外れるようなことが無いので、脚５は継ぎ手６に対して直立状態を保持することができる。次に、巻バネ６５と内カム６２３との関係を示す図９（ｂ）を参照しながら、脚を折り畳む際のカム体の作動について説明する。脚５を折り畳む時は、レバー腕６６を矢印Ｗの方へ押すとスライドピン６４は凹み６２５から外れ、同時に脚５を矢印Ｙの方へ倒すとスライドピン６４は弓形の溝６１６に倣って右方へ移動する。続けて脚５を矢印Ｙの方へ畳むように倒すと、遂には同図（ｃ）のようにスライドピン６４は弓形の溝６１６に沿って移動しながら内カム６２３を下方へ押さえ付けると同時に、脚５はケタ２の内側に折り畳まれるように収まる。この状態において、バネ軸６３に貫設されている巻バネ６５によって、この一方の端部６５１は端板６１３を押し、他方の端部６５２は内カム６２３を押し上げるＵ方向に作用するので、スライドピン６４は凹み６２６の溝から外れない。このようにして、脚５の折り畳みが完了する。この時、スライドピン６４は凹み６２６の溝から外れるようなことがないので、スライドピン６４に連動して固定された脚５は、折り畳んだ状態から突然開くことが無く、脚の折り畳み作業を安全に行うことができる。
【００２４】
次に、本考案の多人数の腰掛けについて説明する。従来の折り畳みテーブルでは、図１３（ａ）で示すように、天板裏側の両隅部に架設されるステー３、３が邪魔になる。ステー３、３は天板裏側の角隅部を斜めに占めるので、折り畳みテーブルに多人数の腰掛けをする際に、両端の人は足がステー３、３に接触するので邪魔になり窮屈であり、或いは座ることができない。そこで、本考案では、継ぎ手６に工夫を加えて図２に示すように、天板（図示無し）の裏側の四隅部において、ケタ２と脚６の隅部を斜めに渡るステー３のような部材を設けないので、腰掛ける際に邪魔になるものがない。即ち、天板裏側において、長手方向の脚間がワイドになり、窮屈にならず余裕のある腰掛けが可能である。従って、例えば天板の長手方向が１８００ｍｍの場合、余裕をもって３人腰掛けをすることが可能である。
【００２５】
脚５を折り畳むと、脚５はケタ２の内側に並ぶように外側へ出っ張ることなく収まる。この状態を図１０に示し、脚５はケタ２に重ならないのでその分折り畳みの全体厚さが薄くなる。例えば、天板１を含む全体厚みが従来９０ｍｍであったが、本考案では天板１の全体厚みＶを従来対比略三分の二の６０〜７０ｍｍに減少することができた。このため、狭いスペースに折り畳みテーブルを重ねて収納する際に広いスペースをとらずに済む。
【００２６】
次に、脚を立てる際のカム体の作動について説明する。脚を折り畳んだ状態で天板の裏側から見た継ぎ手を図１１に示し、同図（ａ）は中の構造を理解できるようにカバー７を外してある。脚５はケタ２の内側に収まり、これが開くことが無いように巻バネ６５によって内カム６２３がスライドピン６４に付勢、ロックされている。通常この状態は、継ぎ手６の上からカバー７が覆設されており、同図（ｂ）に示す。二点鎖線で示す天板１を下側に示し、カバー７は継ぎ手６を三方から囲み、上方をＵ字状に覆うように下枠７１、これに挟まれるように舌片７３が軸７３１に回動自在に支持される。そして継ぎ手６の側方は側枠７２によって囲まれる。バネ軸６３を支点としてレバー腕６６を押し下げるように回動し、次いで脚５を矢印Ｒ方向に立ち上げる。この時、舌片７３は脚５に押されて軸７３１を支点として回動する。脚５を立ち続けると、舌片７３は脚５の動きに連動して同図（ｄ）に示すように、立ち上がり立脚作業は完了する。ここで、舌片７３の裏面にマグネットを貼着しているので、脚５を立てた状態で舌片７３が外側に倒れない。この作業の際、仮に、同図（ａ）に示す舌片７３が無い場合では、隙間Ｓに指を入れた儘脚５を立ち上げると指先を脚５とバネ軸６３との間で挟まれ潰される。立脚作業は必ずしも慣れた人がするわけではなく、女性が作業する場合がある。その場合、ついうっかり隙間Ｓに指先を突っ込んだまま作業して、脚５の基部５２と軸６３との間に指先を入れて潰すことにもなりかねない。ここでは、脚を折り畳む場合について説明したが、脚を立てる場合でも同様に指先を潰すことになるが、カバー７を設けたので確実に指先を突っ込むことを防止する。近年では、災害を未然に防ぐために、使用する人が怪我することのないように、物の生産者にはＰＬ法に基づく規制がなされる。本考案のように、継ぎ手をカバーで覆うことによってＰＬ法に基づく安全基準をクリヤすることができた。
【００２７】
最後に、内カムとスライドピン及び巻バネの連係動作について図１２を参照しながらまとめる。同図（ａ）は二点鎖線で示す脚５が上方へ直立した状態である。この時、スライドピン６４は巻バネ６５によって矢印Ｕの方向へ付勢されるので、スライドピン６４は内カム６２３の凹み６２５の溝から外れるようなことが無い。次に、脚５を折り畳み完了した状態を同図（ｂ）に示す。巻バネ６５はバネ軸６３に貫設されており、一方の端部６１５は端板６１３を押し、他方の端部６５２は内カム６２３を矢印Ｕ方向に押し上げるように巻バネ６５が作用するので、スライドピン６４は凹み６２６の溝から外れない。即ち、巻バネの付勢力によって内カム６２３を矢印Ｕ方向に押し上げるように作用するので、スライドピン６４は内カム６２３の凹み６２６の溝から外れない。一方、図９（ｂ）からも理解できるように、スライドピン６４は脚５の基部５２に固着された構造なので、スライドピン６４が凹み６２６の溝から外れない限り、脚５も動かない。従って、脚の折り畳み作業時に、一旦折り畳んだ脚が突然開くことがないので作業をやり易く、或いは突然左右の脚が開いた拍子に天板を含む折り畳みテーブルの全重量を作業者が手で支えきれずに怪我するというような恐れが無い。
【産業上の利用可能性】
【００２８】
なお、本考案の折り畳みテーブルの使途は、事務所や店頭のカウンター等で使用する立ち机の他、デパート、スーパーマーケット等の店頭で、商品を陳列する机としても使用することができる。
【符号の説明】
【００２９】
Ａ、Ｒ、Ｕ、Ｗ、Ｙ、Ｚ  矢印
Ｓ  隙間
Ｖ  厚み
Ｔ 折り畳みテーブル
１ 天板
２ ケタ
３ ステー 
４ 棚
５ 脚
５１  梁、５２  基部
６  継ぎ手
６１  箱体、６１１  上板、６１２  外側板、６１３  端板、６１４  内側板、６１５  軸、６１６  溝
６２  カム体、６２１  外カム、６２２  柄、６２３  内カム、６２４、６２５、６２６  凹み
６３  バネ軸
６４  スライドピン
６５  巻バネ、６５１、６５２  端部
６６  レバー腕
７  カバー
７１  下枠、７２  側枠、７３  舌片、７３１  軸  
【図１】
0003166037.tif 000003
【図２】
0003166037.tif 000004
【図３】
0003166037.tif 000005
【図４】
0003166037.tif 000006
【図５】
0003166037.tif 000007
【図６】
0003166037.tif 000008
【図７】
0003166037.tif 000009
【図８】
0003166037.tif 000010
【図９】
0003166037.tif 000011
【図１０】
0003166037.tif 000012
【図１１】
0003166037.tif 000013
【図１２】
0003166037.tif 000014
【図１３】
0003166037.tif 000015